(57)【要約】【課題】パネルを切断する必要が無く、簡単に壁開口に取り付けることのできる取付パネルを提供する。【解決手段】被空調室の壁開口４に固定部材５で固定し、空気調和機のダクトを取付けるためのダクトの取付パネル１であって、ダクト取付口９を有する固定パネル２と、固定パネル２に沿ってスライド可能に設けられた延長パネル３とからなり、延長パネル３の長さは、固定パネル２の一端からダクト取付口９までの長さと同一、またはそれよりも短く設定され、壁開口４の大きさにあわせて固定パネル２から延長パネル３を突出することができる。【選択図】図１
2006234300.tif 000002
【特許請求の範囲】
【請求項１】
被空調室の壁開口に固定部材で固定され、空気調和機のダクトを取付けるためのダクトの取付パネルであって、ダクト取付口を有する固定パネルと、該固定パネルに沿ってスライド可能に設けられた延長パネルとからなり、該延長パネルの長さは、前記固定パネルの一端からダクト取付口までの長さと同一、またはそれよりも短く設定され、壁開口の大きさにあわせて前記固定パネルから前記延長パネルを突出できることを特徴とする取付パネル。
【請求項２】
前記固定パネルの固定部と、該固定部に沿って摺動する前記延長パネルの摺動部と、のうちいずれか一方に第１孔が形成され、他方に複数の第２孔がスライド方向に並んで形成され、前記第１孔のスライド方向の孔の長さが、隣接する前記第２孔の間隔よりも長いことを特徴とする請求項１記載の取付パネル。
【請求項３】
前記延長パネルは、複数設けられたことを特徴とする請求項１又は２記載の取付パネル。
【請求項４】
前記固定パネルにスライド可能に第１延長パネルが設けられ、該第１延長パネルにスライド可能に第２延長パネルが設けられ、前記第２延長パネルは、前記固定パネルと断面同一形状とされたことを特徴とする請求項３記載の取付パネル。
【請求項５】
被空調室の壁開口に固定部材で固定された請求項１〜４のいずれかに記載の取付パネルに、ダクトが取付けられたことを特徴とする空気調和機。
【発明の詳細な説明】
【技術分野】
【０００１】
本発明は、空気調和機のダクトを取付けるために、被空調室の壁開口に設けられる取付パネル及び空気調和機に関するものである。
【背景技術】
【０００２】
空気調和機のダクトを被空調室の壁開口に開口又は挿通させるために、壁開口に固定パネルが設けられる。例えば、特許文献１には、空気調和機本体を窓枠に取付けるための据付装置が記載されている。特許文献１記載の据付装置は、取付枠と、内面に窓パネルが嵌着されたスライド枠とからなり、各々が上下スライド可能に嵌合連結されている。スライド枠の出し入れを調節することにより、窓枠の高さに応じて上下寸法調節可能となる。スライド枠の出し入れを調節して窓枠に固定した後、取付枠の枠開口に空気調和機本体が取り付けられる。
【０００３】
【特許文献１】実開昭５９−７６９１９号
【発明の開示】
【発明が解決しようとする課題】
【０００４】
しかしながら、取付枠からスライド枠の全体を引き出さない場合には、スライド枠の内面に嵌着された窓パネルの下方が、本体取付枠内の一部を覆ってしまい、取付枠に空気調和機本体を取付けるのに邪魔になってしまう。そのため、取付枠内に残った余分な窓パネルを切断しなければならず、手間がかかってしまう。
【０００５】
そこで、本発明は、上記に鑑み、パネルを切断する必要が無く、簡単に壁開口に取り付けることのできる取付パネルを提供することを目的とするものである。
【課題を解決するための手段】
【０００６】
上記目的を達成するため、本発明は、被空調室の壁開口に固定部材で固定され、空気調和機のダクトを取付けるためのダクトの取付パネルであって、ダクト取付口を有する固定パネルと、固定パネルに沿ってスライド可能に設けられた延長パネルとからなり、延長パネルの長さは、固定パネルの一端からダクト取付口の一端までの長さと同一、またはそれよりも短く設定され、壁開口の大きさにあわせて固定パネルから延長パネルを突出できることを特徴とする取付パネルである。
【０００７】
壁開口は、被空調室を囲む壁や天井等に形成された開口であって、空気調和機のダクトを室内外に挿通させたり、ダクトの一端を室内又は室外に開口させることができればよく、窓等の既存の開口を利用してもよい。壁開口の大きさは様々であるが、本発明の取付パネルは、固定パネルから延長パネルを出し入れ自在に突出可能であるので、延長パネルの出し入れ方向において壁開口の大きさに合わせることができる。
【０００８】
さらに、延長パネルの長さが、固定パネルの一端からダクト取付口の一端までの長さと同一、またはそれよりも短く設定されている。延長パネルの一部しか突出させない場合や、さらには全体を突出させない場合でも、延長パネルの全体を固定パネルのダクト取付口が形成されていない部分に重ねることができるので、延長パネルがダクト取付口を覆ってしまうことがない。したがって、延長パネルのどの部分も切断する必要がないので、壁開口への取付作業が容易である。
【０００９】
壁開口への取付パネルの固定は、ビス、ネジ、釘等の固定部材で固定されるが、これらに限定されるものではない。固定部材で直接、取付パネルに孔を開けながら壁開口の壁面に固定してもよいが、それでは開ける際に強い力が必要となるため、予め固定パネルに固定部材挿通用の孔を形成しておくのが好ましい。
【００１０】
例えば、固定パネルの固定部と、固定部に沿って摺動する延長パネルの摺動部と、のうちいずれか一方に第１孔を形成し、他方に複数の第２孔をスライド方向に並んで形成し、第１孔のスライド方向の孔の長さを、隣接する第２孔の間隔よりも長く設定する。固定パネルの固定部とは、固定部材を用いて壁開口に固定される部分のことである。また、延長パネルの摺動部とは、固定部材の固定部と対向して摺動する部分のことであるが、摺動部の全体が固定部と接する必要はない。この固定部又は摺動部のいずれか一方に設けられた第１孔の孔の長さが、他方に設けられた第２孔の間隔よりも長いので、第１孔と、少なくとも１つの第２孔とが同一の位置になる。すなわち、延長パネルを固定パネルからどの程度突出させても、必ず第１孔と少なくとも１つの第２孔とが同一の位置になる。したがって、第１孔と第２孔とに、固定部材を挿入して壁穴に固定する場合に、固定パネルと延長パネルとの位置が限定されないですむので、無段階で延長パネルの出し入れを調節することができる。そのため、延長パネルを切断する必要がなくなる。
【００１１】
延長パネルは、１枚であってもよいが、複数設けてもよい。固定パネルにスライド可能に第１延長パネルを設け、さらに、第１延長パネルにスライド可能に第２延長パネルを設けるように、延長パネルを順々に連結していってもよいし、または、固定パネルにスライド可能に複数の延長パネルを設け、各延長パネルが互いにぶつからないように固定パネルに対しずらして配置するようにしてもよい。第１延長パネルにスライド可能に第２延長パネルを、第２延長パネルにスライド可能に第３延長パネルを、第３延長パネルにスライド可能に第４延長パネルをと、延長パネルを順々に連結していく場合は、固定パネルと第２延長パネルと第４延長パネルとを断面同一形状とし、第１延長パネルと第３延長パネルとを断面同一形状とすれば、それぞれ同一の金型を使用することができる。全体として２つの金型があればすむので好ましい。
【発明の効果】
【００１２】
本発明によると、固定パネルから延長パネルを出し入れ自在に突出可能であるので、延長パネルの出し入れを調節することにより、壁開口の大きさに合わせることができる。また、延長パネルの長さが、固定パネルの一端からダクト取付口の一端までの長さと同一、またはそれよりも短く設定されているので、延長パネルの全てを固定パネルから突出させる必要の無い場合であっても、延長パネルがダクト取付口を覆ってしまうことがない。したがって、延長パネルのどの部分も切断する必要がなく、壁開口への取付作業が容易となる。
【発明を実施するための最良の形態】
【００１３】
以下、本発明の実施形態を図面に基づいて説明する。図１は本発明の取付パネルのカバー開放状態を示す（ａ）正面図、（ｂ）Ａ−Ａ断面図、図２は本発明の取付パネルのカバー閉成状態を示す（ａ）正面図、（ｂ）Ｂ−Ｂ断面図、図３は本発明の取付パネルの側面図、図４は同じく固定パネルの（ａ）Ｃ−Ｃ断面図、（ｂ）正面図、（ｃ）Ｄ−Ｄ断面図、（ｄ）側面図、図５は同じく第１延長パネルの（ａ）Ｅ−Ｅ断面図、（ｂ）正面図、（ｃ）Ｆ−Ｆ断面図、（ｄ）側面図、図６は同じく第２延長パネルの（ａ）Ｇ−Ｇ断面図、（ｂ）正面図、（ｃ）Ｈ−Ｈ断面図、（ｄ）側面図、図７は同じくカバーパネルの（ａ）Ｉ−Ｉ断面図、（ｂ）正面図、（ｃ）Ｊ−Ｊ断面図、（ｄ）側面図、図８は空気調和機のダクトの取付状態を示す図である。
【００１４】
本取付パネル１は、図１〜図３に示すように、固定パネル２と、固定パネル２の内面に沿ってスライド可能に設けられた延長パネル３及びカバーパネル４とからなり、被空調室の壁開口５を覆うように配される。カバーパネル４と延長パネル３とは、固定パネル２に対して内外にずらして配置され、スライド時に互いにぶつかることがない。
【００１５】
取付パネル１の壁開口５への固定は、ビス、ネジ、釘等の固定部材６で固定されるが、これらに限定されるものではない。固定部材６で直接、取付パネル１に孔を開けながら壁開口５の壁面に固定してもよいが、それでは開ける際に強い力が必要となるため、予め固定パネル２に固定部材６挿通用の孔が形成される。
【００１６】
固定パネル２は、図３及び図４に示すように、壁開口５を覆う固定パネル背板７と、固定パネル背板７の上下端から室内側へ突出するように延設され、壁開口５の上下壁面に固定される固定部８と、上下の固定部８の内面に固定パネル背板７と並行に設けられた板状の第１レール９と、上下の固定部８の内端が幅狭となるようにクランク状に折曲した第２レール１０とから構成され、これらは一体押出成型により形成される。第１レール９と第２レール１０とは、固定パネル２に対して内外方向にずらした位置に形成される。
【００１７】
固定パネル背板７には、開口が形成され、ダクトａを取付けるためのダクト取付口１１となる。ダクト取付口１１の形状は、長方形に形成されるが、これに限定されるものではなく、取付けられるダクトａの形状によって変更すればよい。また、ダクト取付口１１は、固定パネル背板７の一方に片寄って形成され、ダクト取付口１１の一端から固定パネル背板７の一端までが、延長パネル３及びカバーパネル４を収容する延長パネル収容部１２とされる。延長パネル収容部１２側の一端から、延長パネル３を出し入れすることになる。
【００１８】
両方の固定部８には、固定部材６を挿通するための第１孔１３が形成される。第１孔１３は、延長パネル収容部１２側に設けられ、スライド方向に長い長孔状に形成される。第１孔１３の数は少なくとも１個あればよいが、複数形成してもよい。なお、延長パネル３を最大に飛び出させたときに対応するために、延長パネル３を出し入れする側の端に形成する。
【００１９】
延長パネル３は、固定パネル２にスライド自在に設けられた第１延長パネル３ａと、第１延長パネル３ａにスライド自在に設けられた第２延長パネル３ｂとからなる。
【００２０】
第１延長パネル３ａは、図５に示すように、２本の脚１４ａで固定パネル２の固定部８内面を摺動する断面コ字状の摺動部１４と、上下の摺動部１４間を連結する延長パネル背板１５とから構成され、延長パネル３は全体として断面π字状に、一体押出成型により形成される。第１延長パネル３ａのスライド方向の長さは、固定パネル２の一端からダクト取付口１１の一端までの長さ、すなわち、延長パネル収容部１２の長さと同一、またはそれよりも短く設定される。延長パネル収容部１２に、延長パネル３の全体をすっぽりと重ねることができる。また、第１延長パネル３ａのスライド方向と垂直方向の長さは、固定パネル２の内径とほぼ同一とされ、固定パネル２の内面をスライド可能とされる。
【００２１】
摺動部１４は、２本の脚１４ａと、脚１４ａを連結する連結体１４ｂとからなり、上下の摺動部１４の外側の脚１４ａが、固定パネル２の背板７と第１レール９との間に挿入されることにより、第１延長パネル３ａを固定パネル２内面に沿ってスライド可能となる。壁開口５の大きさにあわせて固定パネル２の側端から延長パネル３を突出できる。また、上下の摺動部１４の連結体１４ｂには、取付時に固定部材６を挿通するための複数の第２孔１６がスライド方向に並んで形成される。第２孔１６の形状は、丸孔に形成されるが、長孔であってもよい。
【００２２】
上記第１孔１３の長孔の長さと、第２孔１６の数とはそれぞれ限定されるものではないが、両者の関係が、「第１孔１３のスライド方向の孔の長さ（Ｌ１）＞隣接する第２孔１６の間隔（Ｌ２）」であればよい。この関係であれば、延長パネル３を固定パネル２からどの程度突出させても、必ず第１孔１３と少なくとも１つの第２孔１６とが同一の位置になる。したがって、第１孔１３と第２孔１６とに、固定部材６を挿入して壁開口５に固定する場合に、固定パネル２と第１延長パネル３ａとの位置が限定されないので、無段階で第１延長パネル３ａの出し入れを調節することができる。
【００２３】
なお、上記実施形態においては、固定パネル２の固定部８に第１孔１３を、カバーパネル４及び第１延長パネル３ａの摺動部１４に第２孔１６を形成したが、その逆、すなわち固定パネル２の固定部８に第２孔１６を、第１延長パネル３ａの摺動部１４に第１孔１３を形成してもよい。
【００２４】
第２延長パネル３ｂは、固定パネル２と断面同一形状とされ、図６に示されるような形状に形成される。固定パネル２と同一の金型を使用することができる。第２延長パネル３ｂには、固定パネル２の固定部８にあたる部分に、固定パネル２の第１孔１３と同じ長孔状の孔３ｃが形成される。固定パネル２と第１延長パネル３ａとを嵌合させてスライド可能とするのと同じように、第１延長パネル３ａと第２延長パネル３ｂとを嵌合させ、第１延長パネル３ａと第２延長パネル３ｂとを互いにスライド可能とする。第２延長パネル３ｂの孔３ｃと、第１延長パネル３ａの第２孔とが重なり合った部分に固定部材６を挿通し、壁開口５の壁面に固定する。なお、固定パネル２に第２孔１６を設けた場合は、第２延長パネル３ｂに設ける孔３ｃは、第１孔１３のような長孔ではなく、第２孔１６と同じ形状の孔にする。
【００２５】
カバーパネル４は、延長パネル３と同一の金型を用いて形成される。すなわち、カバーパネル４は、固定パネル２の第２レール１０を摺動する断面コ字状の摺動部１７と、上下の摺動部１７間を連結するカバーパネル背板１８とから構成され、カバーパネル４は全体として断面π字状に形成される。カバーパネル４のスライド方向の長さは、延長パネル収容部１２の長さと同一、またはそれよりも短く設定される。延長パネル収容部１２に、延長パネル３の全体をすっぽりと重ねることができる。また、固定パネル２のスライド方向と垂直方向の長さは、固定パネル２の内径とほぼ同一とされ、固定パネル２の内面をスライド可能とされる。
【００２６】
摺動部１７は、２本の脚１７ａと、脚１７ａを連結する連結体１７ｂとからなり、上下の摺動部１７の外側の脚１７ａと内側の脚１７ａとで、固定パネル２の第２レール１０のクランク部分を挟み込むことにより、カバーパネル４を固定パネル２内面に沿ってスライド可能となる。固定パネル２のダクト取付口１１を覆いたい場合には、カバーパネル４をスライドさせれば、ダクト取付口１１を覆うことができる。
【００２７】
以上の構成の取付パネル１の取付方法を説明する。まず、取付パネル１を組み立てる。すなわち、固定パネル２の固定パネル背板７と第１レール９との間に、第１延長パネル３ａの摺動部１４の外側の脚１４ａを挿入するようにして、第１延長パネル３ａを固定パネル２に嵌合させる。第１延長パネル３ａは、固定パネル２の内面をスライド可能となる。同様にして、第１延長パネル３ａと第２延長パネル３ｂとをスライド可能に嵌合させる。
【００２８】
そして、カバーパネル４の上下の摺動部１７の外側の脚１７ａと内側の脚１７ａとで、固定パネル２の第２レール１０のクランク部分を挟み込むことにより、カバーパネル４を、固定パネル３よりも内側で、固定パネル２内面に沿ってスライド可能となる。
【００２９】
次に、このように組み立てられた取付パネル１を、壁開口である窓枠５に載置する。窓は、上げ下げ窓、引き違い窓のいずれでもよい。この際、壁開口５の大きさが固定パネル２の大きさよりも大きい場合には、固定パネル２から延長パネル３をスライドさせて飛び出させて、壁開口５の大きさに合わせる。また、固定パネル２の大きさと壁開口５の大きさとが同一である場合には、延長パネル３を固定パネル２の延長パネル収容部１２に重ねたままにしておく。このときは第２延長パネル３ｂは使用しない。そして、延長パネル３の摺動部１４の第２孔１６と、固定パネル２の固定部８の第１孔１３とが重なっているところと、第１延長パネル３ａの第２孔１６と第２延長パネル３ｂの孔３ｃとが重なっているところに、ビスを挿入し、壁開口５の壁面に固定する。カバーパネル４は固定されていないので、スライド自在である。
【００３０】
そして、図８に示すように、このようにして壁開口５に取り付けられた取付パネル１のダクト取付口１１に、一体型空気調和機１９のダクトａの開口端を固定する。一体型空気調和機１９は、キャビネット２０に、圧縮機２１、凝縮器２２、蒸発器２３及び絞り機構（図示せず）が内装され、これらによって冷凍サイクルが形成される。そして、空気調和機１９は、冷風を発生させて、室内を冷房する冷房運転を行う。そのため、空気調和機１９は、蒸発器２３に対する送風ファン２４と、凝縮器２２に対する排気ファン２５と、排気用のダクトａと、冷房運転によって発生したドレン水を処理するためのポンプ２６とを備えている。
【００３１】
ダクトａの一端は、空気調和機１９の排気口２７に連結され、ダクトａの他端は、壁開口５に取り付けられた取付パネル１に着脱可能に取り付けられる。すなわち、取付パネル１のダクト取付口１１にダクトホルダ２８が嵌め込まれ、ダクトホルダ２８に、ダクトａの他端に設けられたダクトコネクタ２９が着脱可能に装着される。ダクトコネクタ２９がダクトホルダ２８に装着されることにより、ダクトホルダ２８は取付パネル１から抜けないように取り付けられる。ダクトホルダ２８の室外側には、雨が入り込まないように、雨除け３０が取り付けられている。したがって、ダクトコネクタ２９をダクトホルダ２８から外すことにより、ダクトａを取付パネル１から取り外すことができる。さらにダクトホルダ２８も取付パネル１から取り外すことができる。
【００３２】
なお、空気調和機は一体型のものに限定されるものではなく、室内機と室外機とからなる空気調和機であってもよく、ダクトａをダクト取付口１１に挿通させる形態であってもよい。
【００３３】
以上のように、本取付パネル１は、延長パネル３を固定パネル２から飛び出し自在にスライド可能であるので、壁開口５の大きさに合わせることができる。また、延長パネル３の長さが固定パネル２の延長パネル収容部１２の長さと同一、またはそれよりも短く設定されているので、延長パネル３を固定パネル２から突出させる必要の無い場合には、延長パネル３の全体を延長パネル収容部１２に重ねることができる。したがって、延長パネル３が固定パネル２のダクト取付口１１を覆うことがなく、延長パネル３のどの部分も切断する必要がない。壁開口５への取付作業が容易である。
【００３４】
固定部８に設けられた第１孔１３の孔の長さが、摺動部１４に設けられた第２孔１６の間隔よりも長いので、第１孔１３と少なくとも１つの第２孔１６とが同一の位置になる。したがって、延長パネル３を固定パネル２からどの程度突出させても、必ず第１孔１３と少なくとも１つの第２孔１６とが同一の位置になるので、固定パネル２と延長パネル３との位置が限定されない。そのため、無段階で延長パネル３の出し入れを調節することができ、延長パネル３を切断する必要がなくなる。
【００３５】
さらにまた、本取付パネル１は、カバーパネル４を有するので、ダクト取付口１１にダクトを取り付ける必要の無い場合には、カバーパネル４をスライド移動させて、ダクト取付口１１を簡単に覆うことができる。したがって、ダクト取付口１１が開口したままとならず、室外からの風雨の侵入を防止できる。また、カバーパネル４が固定パネル２に一体的に設けられているので、カバーパネル４が紛失してしまうこともない。
【００３６】
また、カバーパネル４のスライド方向の長さが、固定パネル２の延長パネル収容部１２の長さと同一、またはそれよりも短く設定されているので、ダクト取付口１１を塞ぐ必要の無い場合には、カバーパネル４の全体をダクト取付口１１の形成されていない延長パネル収容部１２に重ねることができる。したがって、カバーパネル４がダクト取付口１１を覆ってしまうことがない。カバーパネル４が不要なときはしまっておくことができ、必要なときにスライドさせてすぐに使用することができる。また、カバーパネル４と延長パネル３とは、固定パネル２に対して内外にずれて配置されているので、スライドさせても互いにぶつかることがない。
【００３７】
なお、本発明は上記実施形態に限定されるものではなく、本発明の範囲内で上記実施形態に多くの修正及び変更を加え得ることは勿論である。例えば、上記実施形態においては、延長パネル３を第１延長パネル３ａと第２延長パネル３ｂとから構成したが、第１延長パネル３ａのみであってもよいし、または、第３延長パネル、第４延長パネル、第５延長パネルとさらに順々に連結していってもよい。この場合、第２延長パネル及び第４延長パネルを固定パネル２と同一金型で形成し、第３延長パネル及び第５延長パネルを第１延長パネル３ａと同一金型とすればよい。全体として２つの金型があればすむ。
【００３８】
また、上記実施形態では、複数の延長パネルを設ける場合に、固定パネル２に第１延長パネル３ａを設け、その第１延長パネル３ａにさらに第２延長パネル３ｂを設けたが、固定パネル２に、第１延長パネル３ａと第２延長パネル３ｂとをスライド可能に設けてもよい。この場合、第１延長パネル３ａと第２延長パネル３ｂとの断面を同一形状とし、第１延長パネル３を上記と同様にして固定パネルのレール８に嵌合させる。そして、第２延長パネル３ｂの摺動部１４の２本の脚１２ａで、固定パネル２の第２レール１０のクランク部分を挟み込むことにより、第２延長パネル３ｂを固定パネル２前面に沿ってスライド可能とする。第１延長パネル３と第２延長パネル３ｂとは、固定パネル２に対して内外にずれているので、スライドさせてもぶつからない。
【００３９】
また、上記実施形態では、延長パネル３及びカバーパネル４を横方向にスライドさせたが、壁開口５の形状に合わせて上下方向にスライド可能としてもよい。また、本取付パネルは上下対称なので、上下反転させて使用することもでき、方向が限定されない。
【００４０】
また、カバーパネル４と延長パネル３とを兼用させてもよい。例えば、延長パネル３を伸縮可能とし、ダクトａ取付時には、縮ませてダクト取付口１１を覆わないようにし、ダクト取付不要時には、伸張させてダクト取付口１１を覆うようにすればよい。延長パネル３を伸縮可能とする態様としては、延長パネル３を蛇腹状に形成すればよいが、これに限定されるものではない。
【図面の簡単な説明】
【００４１】
【図１】本発明の取付パネルのカバー開放状態を示す（ａ）正面図、（ｂ）Ａ−Ａ断面図
【図２】本発明の取付パネルのカバー閉成状態を示す（ａ）正面図、（ｂ）Ｂ−Ｂ断面図
【図３】本発明の取付パネルの側面図
【図４】同じく固定パネルの（ａ）Ｃ−Ｃ断面図、（ｂ）正面図、（ｃ）Ｄ−Ｄ断面図、（ｄ）側面図
【図５】同じく第１延長パネルの（ａ）Ｅ−Ｅ断面図、（ｂ）正面図、（ｃ）Ｆ−Ｆ断面図、（ｄ）側面図
【図６】同じく第２延長パネルの（ａ）Ｇ−Ｇ断面図、（ｂ）正面図、（ｃ）Ｈ−Ｈ断面図、（ｄ）側面図
【図７】同じくカバーパネルの（ａ）Ｉ−Ｉ断面図、（ｂ）正面図、（ｃ）Ｊ−Ｊ断面図、（ｄ）側面図
【図８】空気調和機のダクトの取付状態を示す図
【符号の説明】
【００４２】
１    取付パネル
２    固定パネル
３    延長パネル
４    カバーパネル
５    壁開口
６    固定部材
７    固定パネル背板
８    固定部
９    第１レール
１０  第２レール
１１  ダクト取付口
１２  延長パネル収容部
１３  第１孔
１４  摺動部
１５  延長パネル背板
１６  第２孔
１７  摺動部
１８  延長パネル背板
【図１】
2006234300.tif 000003
【図２】
2006234300.tif 000004
【図３】
2006234300.tif 000005
【図４】
2006234300.tif 000006
【図５】
2006234300.tif 000007
【図６】
2006234300.tif 000008
【図７】
2006234300.tif 000009
【図８】
2006234300.tif 000010